(57)【要約】      （修正有）【課題】カバーを下基板に半田付けするスペースを確保して、カバーを半田によって十分な強度で下基板に固定できると共に、実装工程を簡略化して製造コストを低減することができる表面実装型デバイス及びその製造方法を提供する。【解決手段】表面実装型デバイスは、電子部品を実装した主基板３が台座１に搭載され、下基板２の上に、台座１と、台座１を覆うカバー４とが搭載された表面実装型デバイスである。下基板２上において、カバー４と半田付けされる半田付けパターン２１が、カバー４より外側の領域から内側の領域に亘って形成されると共に、台座１の側面部に、半田付けパターン２１の上部に空間を形成する切り欠き部１４が設けられており、台座１と同一の半田付け工程において、カバー４が、当該空間に塗布された半田により半田付けパターン２１上に固定されている。【選択図】図１
2018157359.tif 000002
【特許請求の範囲】
【請求項１】
電子部品を実装した主基板が搭載された台座と、前記台座が搭載される下基板と、前記台座を覆うよう前記下基板に搭載されるカバーとを備えた表面実装型デバイスであって、
前記下基板上において、前記カバーと半田付けされる半田付けパターンが、前記カバーが搭載される領域から当該下基板の内側に亘って形成され、
前記台座は、前記半田付けパターンの上部に空間が形成されるよう、側面部に切り欠き部を備え、
前記カバーは、前記空間に形成された半田によって前記半田付けパターン上に固定されていることを特徴とする表面実装型デバイス。
【請求項２】
切り欠き部は、側面部の外側面から底部にかけて、前記側面部の一部が切り取られた凹部形状であることを特徴とする請求項１記載の表面実装型デバイス。
【請求項３】
台座は、下基板と主基板とを電気的に接続する複数のピンを備え、前記複数のピンが前記下基板に形成された電極に半田によって固定されていることを特徴とする請求項１又は２記載の表面実装型デバイス。
【請求項４】
下基板上に台座とカバーとを搭載する表面実装型デバイスの実装方法であって、
側面部に切り欠き部が形成され、複数のピンを備えた前記台座に、電子部品を実装した主基板を搭載する工程と、
前記下基板に形成された電極と、前記カバーが搭載される領域から当該下基板の内側に亘って形成された半田付けパターンとに半田を塗布する工程と、
前記半田付けパターン上の半田が前記切り欠き部によって形成された空間内に位置するように前記台座を搭載する工程と、
前記半田付けパターン上に前記カバーを搭載する工程と、
前記電極と前記ピン、及び前記半田付けパターンと前記カバーとを、前記半田をリフローすることによって同時に固定する工程とを備えたことを特徴とする表面実装型デバイスの製造方法。
【発明の詳細な説明】
【技術分野】
【０００１】
本発明は、表面実装型デバイスに係り、特に小型のデバイスでもカバーを半田付けで固定でき、組み立て工程を簡易にすることができる表面実装型デバイス及びその製造方法に関する。
【背景技術】
【０００２】
［先行技術の説明］
表面実装型デバイス（ＳＭＤ：Surface Mount Device）として、恒温槽付水晶発振器（ＯＣＸＯ；Oven Controlled Crystal Oscillator）等の表面実装型圧電発振器がある。
従来の表面実装型圧電発振器では、主基板上に水晶振動子等の電子部品を実装した主基板を台座上に搭載し、当該台座を下基板上に搭載して、台座を含むモジュール（台座モジュール）全体をカバーで覆った構成が知られている（特許文献１参照）。
【０００３】
台座には、主基板と下基板とを電気的に接続する複数のピンが設けられている。
また、下基板には、台座のピンと接続する電極と、カバーが半田付けされる半田付けパターンが形成されており、実装時には、台座のピンと下基板の電極とが半田付けされて、下基板と台座とが固定された後、下基板の半田付けパターンとカバーとが半田付けされて、下基板とカバーとが固定されるようになっている。
【０００４】
そして、従来の表面実装型デバイスでは、下基板において、台座が搭載されている領域の外側に、カバーの半田付けパターンが形成されていた。
近年、製品の小型化に伴って、下基板上において台座とカバーとの間の隙間が狭くなり、カバーを半田付けするためのスペースが確保できず、接着剤等によりカバーを接着していた。接着剤による接着は、半田付けに比べて強度が十分ではない。
【０００５】
［関連技術］
尚、表面実装型デバイスに関する従来技術としては、特開２０１４−３５５３号公報「表面実装型デバイス」（日本電波工業株式会社、特許文献１）があり、半田付けに関する従来技術としては、特開２００１−３２６２９１号公報「半導体素子モジュール及び半導体装置」（三菱電機株式会社、特許文献２）がある。
【０００６】
特許文献１には、複数のピンを備えるピンアダプタ（台座）をベース基板（下基板）に固定し、ピンの先端を電子部品が搭載されたメイン基板（主基板）に設けられた穴に挿入して、メイン基板とベース基板を固定することが記載されている。
【０００７】
特許文献２には、半導体素子モジュールを基板に設けたスルーホールを介して基板に実装する際に、パッケージ底面と基板との間に半田が流れ込んでショートするのを防ぐ構成が記載されている。
【先行技術文献】
【特許文献】
【０００８】
【特許文献１】特開２０１４−３５５３号公報
【特許文献２】特開２００１−３２６２９１号公報
【発明の概要】
【発明が解決しようとする課題】
【０００９】
上述したように、従来の表面実装型デバイス及びその製造方法では、製品の小型化によりカバーを半田付けするためのスペースが確保できなくなり、接着剤等による接着では接着強度が十分とはいえないという問題点があった。
【００１０】
また、従来の表面実装型デバイスでは、下基板に台座モジュール及びカバーを実装する際には、まず台座モジュールを半田付けし、次にカバーを接着剤で固定するため、実装工程が２段階となり、煩雑であるという問題点があった。
【００１１】
尚、特許文献１及び特許文献２には、下基板の半田付けパターンが、カバーが搭載される領域から下基板の内側に亘って形成され、台座の側面部において、半田付けパターン上となる部分に空間を形成する切り欠き部を設けることは記載されていない。
【００１２】
本発明は上記実状に鑑みて為されたもので、カバーを下基板に半田付けするスペースを確保して、カバーを半田によって十分な強度で下基板に固定できると共に、実装工程を簡略化して製造コストを低減することができる表面実装型デバイス及びその製造方法を提供することを目的とする。
【課題を解決するための手段】
【００１３】
上記従来例の問題点を解決するための本発明は、電子部品を実装した主基板が搭載された台座と、台座が搭載される下基板と、台座を覆うよう下基板に搭載されるカバーとを備えた表面実装型デバイスであって、下基板上において、カバーと半田付けされる半田付けパターンが、カバーが搭載される領域から当該下基板の内側に亘って形成され、台座は、半田付けパターンの上部に空間が形成されるよう、側面部に切り欠き部を備え、カバーは、空間に形成された半田によって半田付けパターン上に固定されていることを特徴としている。
【００１４】
また、本発明は、上記表面実装型デバイスにおいて、切り欠き部は、側面部の外側面から底部にかけて、側面部の一部が切り取られた凹部形状であることを特徴としている。
【００１５】
また、本発明は、上記表面実装型デバイスにおいて、台座は、下基板と主基板とを電気的に接続する複数のピンを備え、複数のピンが下基板に形成された電極に半田によって固定されていることを特徴としている。
【００１６】
また、本発明は、下基板上に台座とカバーとを搭載する表面実装型デバイスの製造方法であって、側面部に切り欠き部が形成され、複数のピンを備えた前記台座に、電子部品を実装した主基板を搭載する工程と、下基板に形成された電極と、カバーが搭載される領域から当該下基板の内側に亘って形成された半田付けパターンとに半田を塗布する工程と、半田付けパターン上の半田が切り欠き部によって形成された空間内に位置するように台座を搭載する工程と、半田付けパターン上にカバーを搭載する工程と、電極とピン、及び半田付けパターンとカバーとを、半田をリフローすることによって同時に固定する工程とを備えたことを特徴としている。
【発明の効果】
【００１７】
本発明によれば、電子部品を実装した主基板が搭載された台座と、台座が搭載される下基板と、台座を覆うよう下基板に搭載されるカバーとを備えた表面実装型デバイスであって、下基板上において、カバーと半田付けされる半田付けパターンが、カバーが搭載される領域から当該下基板の内側に亘って形成され、台座は、半田付けパターンの上部に空間が形成されるよう、側面部に切り欠き部を備え、カバーは、空間に形成された半田によって半田付けパターン上に固定されている表面実装型デバイスとしているので、小型のデバイスであっても、切り欠き部によって形成される空間内において十分な大きさの半田付けパターンに十分な量の半田を塗布して、下基板とカバーとを半田付けすることができ、接着剤を用いる場合と比べて、接着の強度を向上させることができ、また、台座とカバーとを同一の工程で半田付けできるため、組み立て工程を簡易にすることができる効果がある。
【００１８】
また、本発明によれば、下基板上に台座とカバーとを搭載する表面実装型デバイスの製造方法であって、側面部に切り欠き部が形成され、複数のピンを備えた前記台座に、電子部品を実装した主基板を搭載する工程と、下基板に形成された電極と、カバーが搭載される領域から当該下基板の内側に亘って形成された半田付けパターンとに半田を塗布する工程と、半田付けパターン上の半田が切り欠き部によって形成された空間内に位置するように台座を搭載する工程と、半田付けパターン上にカバーを搭載する工程と、電極とピン、及び半田付けパターンとカバーとを、半田をリフローすることによって同時に固定する工程とを備えた表面実装型デバイスの製造方法としているので、下基板とカバーとを接着剤で接着する場合と比べて接着の強度を向上させることができ、また、台座とカバーとを同一の工程で下基板に半田付けできるため、組み立て工程を簡易にし、製造コストを低減することができる効果がある。
【図面の簡単な説明】
【００１９】
【図１】本表面実装型デバイスの分解斜視図である。
【図２】本表面実装型デバイスの台座の構成を示す斜視図であり、
【図３】本表面実装型デバイスの台座の側面図である。
【図４】本表面実装型デバイスにおけるカバーと下基板との接続部分の断面説明図である。
【発明を実施するための形態】
【００２０】
本発明の実施の形態について図面を参照しながら説明する。
［実施の形態の概要］
本発明の実施の形態に係る表面実装型デバイス（本表面実装型デバイス）は、電子部品を実装した主基板が台座に搭載され、下基板の上に、台座と、台座を覆うカバーとが搭載された表面実装型デバイスであり、下基板上において、カバーと半田付けされる半田付けパターンが、カバーが搭載される領域から下基板の内側の領域に亘って形成されると共に、台座の側面部に、半田付けパターンの上部に空間を形成する切り欠き部が設けられており、カバーが、当該空間に形成された半田によって半田付けパターン上に固定された構成としており、カバーを下基板上に半田付けするスペースを確保して十分な強度で固定でき、また、台座の半田付けとカバーの半田付けを同一工程で行うことができ、実装工程を簡略化することができるものである。
【００２１】
また、本発明の実施の形態に係る表面実装型デバイスの製造方法は、下基板上の金属パターン及び半田付けパターンに半田を塗布し、半田付けパターン上の半田が切り欠き部によって形成された空間内に位置するように台座を搭載し、半田付けパターン上にカバーを搭載して、電極とピン、及び半田付けパターンとカバーとを、半田をリフローすることによって同時に固定するようにしているので、台座の半田付けとカバーの半田付けを同一工程で行うことができ、実装工程を簡略化することができるものである。
【００２２】
［本表面実装型デバイスの構成：図１］
本表面実装型デバイスの構成について図１を用いて説明する。図１は、本表面実装型デバイスの分解斜視図である。
図１に示すように、本表面実装型デバイスは例えばＯＣＸＯであり、下基板２の上に、主基板３を搭載した台座１が搭載され、更に主基板３を覆うようにカバー４が設けられた構成である。
主基板３は、水晶振動子や発振回路等の電子部品が実装された状態で台座１に搭載されている。
【００２３】
下基板２の上面には台座１のピンと接続する複数の電極が形成され、長辺に沿って、カバー４の長辺下端部４１と接続する半田付けパターン２１が形成されている。
また、下基板２の下面には、本表面実装型デバイスが搭載される実装基板と接続する電極が設けられている。
【００２４】
ここで、半田付けパターン２１は、下基板２の長辺に沿って形成されており、台座１が搭載された場合に、カバー４が搭載される領域から、より内側の、台座１と重なる部分にまで形成されている。
このように、本表面実装型デバイスでは、半田付けパターン２１を台座１が搭載される領域内にまで形成して、半田付けパターン２１の幅（下基板２の短辺方向）を十分確保することにより、カバー４との半田付けを確実にするものである。
【００２５】
台座１は、本表面実装型デバイスの特徴部分であり、側面部に、切り欠き部１４が形成されている。
切り欠き部１４は、台座１を下基板２上に搭載した場合に、半田付けパターン２１上となる部分に設けられており、半田付けパターン２１の上に十分な量の半田が形成されるための空間（スペース）を形成するものである。
つまり、切り欠き部１４によって形成される空間内において、半田付けパターン２１上に半田が塗布されて、カバー４の長辺下端部４１と接合されるようになっている。
【００２６】
カバー４は、金属で形成されており、長辺下端部４１が下基板２上の半田付けパターン２１に半田付けされている。
尚、図１に示すように、カバー４の短辺下端部は台座１の短辺上に搭載される。
【００２７】
［本表面実装型デバイスの台座：図２，図３］
本表面実装型デバイスの台座について図２及び図３を用いて説明する。図２は、本表面実装型デバイスの台座の構成を示す斜視図であり、図３は、本表面実装型デバイスの台座の側面図である。
図２及び図３に示すように、本表面実装型デバイスの台座１は、耐熱性の樹脂で形成された外枠部１１及び梁部１２と、導電性の金属で形成された複数のピン１３とを備え、外枠部１１の側面部には、切り欠き部１４が形成されている。
【００２８】
外枠部１１は、台座１の外形を構成する部分であり、ピン１３が挿入されている。
梁部１２は、外枠部１１の内側において、外枠部１１の長辺同士を接続するように形成されており、台座１の強度を高め、熱や外力による変形を防ぐものである。
図２に示すように、ピン１３は、突出した上端部分が、台座１に搭載される主基板３に挿入され、下端部分は内側に折り曲げられた形状で、下基板２上の電極に半田によって固定される。つまり、ピン１３は、主基板３と下基板２とを電気的に接続するものである。
台座１は、金型に複数のピン１３が挿入された状態で樹脂を流し込んで、一体成型によって形成される。
【００２９】
台座１には、長辺側の側面部に切り欠き部１４が設けられている。図２では、一方の長辺側の側面の切り欠き部１４のみが示されているが、他方の長辺上の対向する位置にも切り欠き部１４が形成されている。
切り欠き部１４は、台座１の側面部から底面部にかけて一部をえぐり取ったような凹形状に形成されている。
【００３０】
特に、切り欠き部１４は、台座１を下基板２に搭載した場合に、ちょうど半田付けパターン２１の上に重なる位置に作られており、半田付けパターン２１の上に切り欠き部１４によって空間が形成されるようになっている。
【００３１】
これにより、本表面実装型デバイスは、半田付けパターン２１の上に半田を塗布する空間的な余裕を備えることができ、十分な量の半田を塗布してカバー４を搭載し、リフローによってカバー４と半田付けパターン２１とを固定することで、下基板２とカバーとを十分な強度で接続できるものである。
【００３２】
また、本表面実装型デバイスでは、切り欠き部１４が形成されていても、本台座１の外枠部１１は、外周部分全体に亘ってつながっているため、十分な強度を保つことができ、熱や外力による変形を防ぐことができるものとなっている。
【００３３】
特に、ここでは、切り欠き部１４を、外枠部１１の側面部を貫通しない形状としているため、強度を十分保持すると共に、半田が外枠部の内側の領域に流れ込まないようにして、不良の発生を防ぐことができるものである。
尚、切り欠き部１４の形状を、側面部を貫通した形状とすることも可能である。
【００３４】
［カバーと下基板との接続部分：図４］
次に、カバーと下基板との接続部分について図４を用いて説明する。図４は、本表面実装型デバイスにおけるカバーと下基板との接続部分の断面説明図である。
図４に示すように、本表面実装型デバイスでは、下基板２の上に台座１と、カバー４の長辺下端部４１が搭載される。
台座１には、側面部から底面部にかけて一部を切り取ったように、切り欠き部１４が形成されている。
【００３５】
下基板２上には、長辺に沿って半田付けパターン２１が形成されている。半田付けパターン２１は、下基板２上において、台座１より外側の領域（図４では向かって右側）から、台座１の切り欠き部１４の内部に入り込むように内側（左側）に食い込んで形成されている。
【００３６】
これにより、半田付けパターン２１を十分な大きさに形成することができると共に、半田を塗布するためのスペースを確保でき、半田５によって、半田付けパターン２１とカバー４の長辺下端部４１とが接合されている。
特に、本表面実装型デバイスでは、十分な量の半田を塗布できるため、リフロー後に半田がカバー４の側面に密着して盛り上り、フィレット５ａが形成されて、半田付けパターン２１とカバー４の長辺下端部４１との接着が一層良好となるものである。
【００３７】
また、上述したように、切り欠き部１４は台座１の側面部を貫通していないので、半田５がリフローによって内側に流れたとしても、台座１より内側の領域にまで広がることはない。
【００３８】
［本表面実装型デバイスの製造方法：図１〜図４］
次に、本表面実装型デバイスの製造方法について図１〜図４を用いて説明する。
図１に示したように、複数のピン１３と、側面部に切り欠き部１４とを設けた台座１を形成し、台座１の上に、水晶振動子及び発振回路等を搭載した主基板３を搭載する。
また、予め下基板２の上面に電極及び半田付けパターン２１を形成しておき、電極及び半田付けパターン２１の上に半田５を塗布する。
【００３９】
そして、下基板２の電極と台座１のピン１３とが接続すると共に、半田付けパターン２１の上に切り欠き部１４が位置するように、下基板２上に台座１を搭載する。
そして、下基板２の半田付けパターン２１上にカバー４を搭載して、台座１及び主基板３を覆う。
その後、半田リフローを行って、下基板２の電極と台座１のピン１３、及び下基板２の半田付けパターン２１とカバー４とを同時に接着する。
【００４０】
つまり、本表面実装型デバイスでは、台座１の半田付けとカバー４の半田付けとを同一の工程で行うことができ、接着剤を用いてカバーを接着する場合に比べて、実装（組み立て）工程を簡略化することができ、製造コストを低減することができるものである。
【００４１】
［実施の形態の効果］
本発明の実施の形態に係る表面実装型デバイスによれば、電子部品を実装した主基板３が台座１に搭載され、下基板２の上に、台座１と、台座１を覆うカバー４とが搭載された表面実装型デバイスであり、下基板２上において、カバー４と半田付けされる半田付けパターン２１が、カバー４より外側の領域から内側の領域に亘って形成されると共に、台座１の側面部に、半田付けパターン２１の上部に空間を形成する切り欠き部１４が設けられており、カバー４が、当該空間に形成された半田５によって半田付けパターン２１上に固定された構成としており、小型の表面実装型デバイスであっても、下基板２上に半田付けパターン２１を形成可能とし、半田付けのスペースを確保して、下基板２とカバー４とを十分な強度で固定でき、台座１の半田付けとカバー４の半田付けを同一工程で行うことができ、実装工程を簡略化することができる効果がある。
【００４２】
また、本発明の実施の形態に係る製造方法によれば、台座１の半田付けとカバー４の半田付けを同一工程で行うことができ、接着剤を用いる場合と比べて、実装工程を簡略化することができ、製造コストを低減できる効果がある。
【００４３】
また、本表面実装型デバイスによれば、台座１の切り欠き部１４が、側面部を貫通していないので、半田５がリフローによって内側に流れ込むのを防ぎ、ショートを防ぐことができる効果がある。
【００４４】
また、本表面実装型デバイスによれば、台座１の側面部が切断されることなく連続して形成されているので、台座１の本体の強度を保ち、熱や外力による変形を防ぐことができる効果がある。
【産業上の利用可能性】
【００４５】
本発明は、小型のデバイスでもカバーを半田付けで固定でき、組み立て工程を簡易にすることができる表面実装型デバイス及びその製造方法に適している。
【符号の説明】
【００４６】
１…台座、  ２…下基板、  ３…主基板、  ４…カバー、  ５…半田、  ５ａ…フィレット、  １１…外枠部、  １２…梁部、  １３…ピン、  １４…切り欠き部、  ２１…半田付けパターン、  ４１…長辺下端部
【図１】
2018157359.tif 000003
【図２】
2018157359.tif 000004
【図３】
2018157359.tif 000005
【図４】
2018157359.tif 000006